(57)【要約】【課題】給油作業が容易なタンクバッグ装置を提供することを課題とする。【解決手段】図（ａ）に示すように、バッグ６０がベースプレート３０を介して燃料タンク１３に取付けられる。この状態で走行することができる。給油に際しては、図（ｂ）に示すように、ヒンジ２１を中心にしてベースプレート３０を回す。すると、バッグ６０がベースプレート３０と共に立ち姿勢になり、結果、燃料キャップ１５が露出される。この状態で給油を実施する。給油後に、図（ａ）に戻す。このとき、ヒンジ２１の作用でベースプレート３０が正確に元の位置に戻る。従来のタンクバッグでは復帰後に永久磁石の位置を修正するなど調整作業が不可欠であったが、本発明によれば、調整作業は不要である。【選択図】図９
2015112984.tif 000002
【特許請求の範囲】
【請求項１】
操舵部材（１１）の後方で且つ乗員が座るシート（１２）の前方に燃料タンク（１３）が配置されている鞍乗型車両（１０）において前記燃料タンク（１３）の上面に設けられている燃料キャップ（１５）を覆うようにして前記燃料タンク（１３）に付設されるタンクバッグ装置（２０）であって、
前記燃料タンク（１３）にヒンジ（２１）を介して上下動可能に取付けられるベースプレート（３０）と、このベースプレート（３０）に連結する連結部材（６１）を有し物品を収納するバッグ（６０）とを備えていることを特徴とする鞍乗型車両のタンクバッグ装置。
【請求項２】
前記ベースプレート（３０）に、前記燃料キャップ（１５）が通過し得る開口部（３１）が設けられていることを特徴とする請求項１記載の鞍乗型車両のタンクバッグ装置。
【請求項３】
前記連結部材（６１）は、前記バッグ（６０）から延びるベルト（６５）であり、前記ベースプレート（３０）に、前記ベルト（６５）を通過させるベルト穴（４６）と、通された前記ベルト（６５）を止めるベルト係止部（４７、４８）とが設けられていることを特徴とする請求項１又は請求項２記載の鞍乗型車両のタンクバッグ装置。
【請求項４】
前記連結部材（６１）は、前記バッグ（６０）から延びる舌状部材（６２）と、この舌状部材（６２）に設けられる永久磁石（６３）であり、
前記ベースプレート（３０）に、前記永久磁石（６３）が磁気吸着する磁性体又はマグネット（５１、５２）が設けられていることを特徴とする請求項１又は請求項２記載の鞍乗型車両のタンクバッグ装置。
【請求項５】
前記ベースプレート（３０）は、前記燃料タンク（１３）の上面に平行に延びる板状部（３４）と、この板状部（３４）の縁から前記燃料タンク（１３）側へ延ばした側壁部（３５）とからなり、前記燃料タンク（１３）の上面に沿う形状を呈していることを特徴とする請求項１〜４のいずれか１項記載の鞍乗型車両のタンクバッグ装置。
【請求項６】
前記ベースプレート（３０）に可動爪（４０）が設けられ、この可動爪（４０）を受ける爪受け部（２３）が前記燃料タンク（１３）に設けられていることを特徴とする請求項１〜５のいずれか１項記載の鞍乗型車両のタンクバッグ装置。
【請求項７】
操舵部材（１１）の後方で且つ乗員が座るシート（１２）の前方に燃料を貯留する燃料タンク（１３）が配置されている鞍乗型車両（１０）において前記燃料タンク（１３）の上面に設けられている燃料キャップ（１５）を覆うようにして前記燃料タンク（１３）に付設されるタンクバッグ装置（２０）であって、
前記燃料タンク（１３）を覆うタンクカバー（７０）と、このタンクカバー（７０）にヒンジ（２１）を介して上下動可能に取付けられるベースプレート（３０）と、このベースプレート（３０）に連結する連結部材（６１）を有し物品を収納するバッグ（６０）とを備えていることを特徴とする鞍乗型車両のタンクバッグ装置。
【請求項８】
前記ヒンジ（２１）は、前記燃料タンク（１３）又は前記タンクカバー（７０）に設けられた軸受部（２２）と、前記ベースプレート（３０）の前端又は後端から延ばした延長部（３２）と、前記軸受部（２２）と前記延長部（３２）に連通したヒンジピン（３３）とからなることを特徴とする請求項１〜７のいずれか１項記載の鞍乗型車両のタンクバッグ装置。
【請求項９】
前記ベースプレート（３０）に可動爪（４０）が設けられ、この可動爪（４０）を受ける爪受け部（２３）が前記タンクカバー（７０）に設けられていることを特徴とする請求項７又は請求項８記載の鞍乗型車両のタンクバッグ装置。
【発明の詳細な説明】
【技術分野】
【０００１】
本発明は、鞍乗型車両に取付けられるタンクバッグ装置に関する。
【背景技術】
【０００２】
自動二輪車に代表される鞍乗型車両は、四輪車に比較して、荷物収納部の容量が小さい。容量の少なさを補う手段の一つが、タンクバッグ装置である。
タンクバッグは、種々の形態のものが提案されてきた（例えば、特許文献１（図１）参照。）。
【０００３】
特許文献１の図１に示されるように、箱状の本体（１）（括弧付き数字は、特許文献１に記載された符号を示す。以下同様）から耳片（３）及び取付片（５）が延ばされ、耳片（３）に磁石（４）が内蔵され、取付片（５）に磁石（６）が内装される。吸磁性材料で構成された燃料タンク（７）に磁石（４）、（６）を吸着させることで、本体（１）を燃料タンク（７）に取付けることができる。
【０００４】
燃料タンク（７）は、上面で且つ高所に燃料キャップを備える。給油に際しては、本体（１）を燃料タンク（７）から外す必要がある。長距離を走行する場合には、１日のうちに数回給油することがある。給油の都度、本体（１）を燃料タンク（７）から外す必要がある。外した本体（１）は給油の邪魔にならぬ所に仮置きする。
【０００５】
給油後に、本体（１）を戻すが、その際に、本体（１）の位置決め前に、磁石（４）、（６）が勝手に燃料タンク（７）に着く。その後で本体（１）が正しい姿勢になるように、磁石（４）、（６）の位置をずらす。結果、本体（１）の脱着作業が極めて面倒になる。
【０００６】
すなわち、従来のタンクバッグには給油中の仮置き及び給油後のバッグ位置調整が必須であり、これらの点に改良が求められる。
よって、給油作業を考慮したタンクバッグ装置が必要となる。
【０００７】
また、燃料タンク（７）は、綺麗に塗装が施され、形状も流線型に近似するため、外観性が良好である。綺麗な燃料タンク（７）に耳片（３）や取付片（５）が垂れ下がって被さるため、外観性の点でも改良の余地がある。
そのため、外観性が良好であるタンクバッグ装置が望まれる。
【先行技術文献】
【特許文献】
【０００８】
【特許文献１】実開平５−３４０９１号公報
【発明の概要】
【発明が解決しようとする課題】
【０００９】
本発明は、外観性が良好で且つ給油作業が容易なタンクバッグ装置を提供することを課題とする。
【課題を解決するための手段】
【００１０】
請求項１に係る発明は、操舵部材の後方で且つ乗員が座るシートの前方に燃料タンクが配置されている鞍乗型車両において前記燃料タンクの上面に設けられている燃料キャップを覆うようにして前記燃料タンクに付設されるタンクバッグ装置であって、
前記燃料タンクにヒンジを介して上下動可能に取付けられるベースプレートと、このベースプレートに連結する連結部材を有し物品を収納するバッグとを備えていることを特徴とする。
【００１１】
請求項２に係る発明では、ベースプレートに、燃料キャップが通過し得る開口部が設けられていることを特徴とする。
【００１２】
請求項３に係る発明では、連結部材は、バッグから延びるベルトであり、ベースプレートに、ベルトを通過させるベルト穴と、通されたベルトを止めるベルト係止部とが設けられていることを特徴とする。
【００１３】
請求項４に係る発明では、連結部材は、バッグから延びる舌状部材と、この舌状部材に設けられる永久磁石であり、ベースプレートに、永久磁石が磁気吸着する磁性体又はマグネットが設けられていることを特徴とする。
【００１４】
請求項５に係る発明では、ベースプレートは、燃料タンクの上面に平行に延びる板状部と、この板状部の縁から燃料タンク側へ延ばした側壁部とからなり、燃料タンクの上面に沿う形状を呈していることを特徴とする。
【００１５】
請求項６に係る発明では、ベースプレートに可動爪が設けられ、この可動爪を受ける爪受け部が燃料タンクに設けられていることを特徴とする。
【００１６】
請求項７に係る発明は、操舵部材の後方で且つ乗員が座るシートの前方に燃料を貯留する燃料タンクが配置されている鞍乗型車両において前記燃料タンクの上面に設けられている燃料キャップを覆うようにして前記燃料タンクに付設されるタンクバッグ装置であって、
前記燃料タンクを覆うタンクカバーと、このタンクカバーにヒンジを介して上下動可能に取付けられるベースプレートと、このベースプレートに連結する連結部材を有し物品を収納するバッグとを備えていることを特徴とする。
【００１７】
請求項８に係る発明では、ヒンジは、燃料タンク又はタンクカバーに設けられた軸受部と、ベースプレートの前端又は後端から延ばした延長部と、軸受部と延長部に連通したヒンジピンとからなることを特徴とする。
【００１８】
請求項９に係る発明では、ベースプレートに可動爪が設けられ、この可動爪を受ける爪受け部がタンクカバーに設けられていることを特徴とする。
【発明の効果】
【００１９】
請求項１に係る発明では、バッグは、燃料タンクではなく、ベースプレートに連結部材で連結される。給油に際しては、ヒンジを介してベースプレートと共にバッグを立てることができる。給油後は、ベースプレートと共にバッグを元の位置に戻す。
本発明によれば、給油作業が極めて容易なタンクバッグ装置が提供される。
【００２０】
請求項２に係る発明では、ベースプレートに、燃料キャップが通過し得る開口部が設けられている。バッグが不要な場合は、燃料タンクにベースプレートのみが付属する。バック無しの状態では、ベースプレートを立てることなく、給油が可能となる。
【００２１】
請求項３に係る発明では、連結部材は、バッグから延びるベルトであり、ベースプレートに、ベルトを通過させるベルト穴と、通されたベルトを止めるベルト係止部とが設けられている。ベルトの大部分がベースプレートに内蔵される。結果、ベルトが目立たなくなり、燃料タンクの外観性が良好になる。その上、市販のタンクバッグが使用可能である。
【００２２】
請求項４に係る発明では、連結部材は、バッグから延びる舌状部材と、この舌状部材に設けられる永久磁石であり、ベースプレートに、永久磁石が磁気吸着する磁性体又はマグネットが設けられている。舌状部材をベースプレートに巻き込む。舌状部材の大部分がベースプレートに内蔵される。結果、舌状部材が目立たなくなり、燃料タンクの外観性が良好になる。その上、市販のタンクバッグが使用可能である。
【００２３】
請求項５に係る発明では、ベースプレートは、燃料タンクの上面に平行に延びる板状部と、この板状部の縁から燃料タンク側へ延ばした側壁部とからなり、燃料タンクの上面に沿う形状を呈している。側壁部でベースプレートの内部を隠すことができ、外観性が良好に維持される。その上、側壁部によりベースプレートの曲げ剛性や撓み剛性を高めることができる。
【００２４】
請求項６に係る発明では、ベースプレートに可動爪が設けられ、この可動爪を受ける爪受け部が燃料タンクに設けられている。可動爪を爪受け部に引っかけることで、ベースプレートの浮き上がりを防止することができる。
【００２５】
請求項７に係る発明では、バッグは、燃料タンクではなく、ベースプレートに連結部材で連結される。給油に際しては、ヒンジを介してベースプレートと共にバッグを立てることができる。給油後は、ベースプレートと共にバッグを元の位置に戻す。
本発明によれば、給油作業が極めて容易なタンクバッグ装置が提供される。
【００２６】
その上、請求項７では、ヒンジは、燃料タンクではなく、タンクカバーに設けられる。燃料タンクにヒンジを設ける必要がないので、燃料タンクの構造が複雑になる心配がない。燃料タンクにヒンジを設ける必要がないので、市販の鞍乗型車両に本発明のタンクバッグ装置を、容易に後付けすることができる。結果、本発明に係るタンクバッグ装置の一層の普及を促すことができる。
【００２７】
請求項８に係る発明では、ヒンジは、燃料タンク又はタンクカバーに設けられた軸受部と、ベースプレートの前端又は後端から延ばした延長部と、軸受部と延長部に連通したヒンジピンとからなる。ヒンジは、軸受部と延長部とヒンジピンからなり、構造が単純であり、安価に構成できる。
【００２８】
また、延長部がベースプレートの前端に設けられる場合は、いわゆる、前ヒンジとなり、ベースプレート及びバッグを操舵部材の近くに立てることができ、シートと燃料タンク（又はタンクカバー）上を広く開放することができ、給油ホースをシート上に這わせることが可能となり、給油ガン給油ホースの取り回しがより楽になる。
【００２９】
また、延長部がベースプレートの後端に設けられる場合は、いわゆる、後ヒンジとなり、ベースプレート及びバッグをシート寄りの部位に立てることができ、操舵部材と燃料タンク（又はタンクカバー）上を広く開放することができ、特に、操舵部材中央にメータ類が配置されている鞍乗型車両に好適である。
【００３０】
請求項９に係る発明では、ベースプレートに可動爪が設けられ、この可動爪を受ける爪受け部がタンクカバーに設けられている。可動爪を爪受け部に引っかけることで、ベースプレートの浮き上がりを防止することができる。燃料タンクにヒンジを設ける必要がないので、燃料タンクの構造が複雑になる心配がない。
【図面の簡単な説明】
【００３１】
【図１】本発明に係るタンクバッグ装置を取付けた鞍乗型車両の要部側面図である。
【図２】本発明に係るベースプレートを備えた燃料タンクの斜視図である。
【図３】ベースプレートを備えた燃料タンクの側面図である。
【図４】ベースプレートの断面図である。
【図５】図４の５部拡大図である。
【図６】ペースプレートの内側を示す斜視図である。
【図７】ベルト付きバッグを燃料タンクに取付けた形態を示す斜視図である。
【図８】永久磁石付きバッグを燃料タンクに取付けた形態を示す斜視図である。
【図９】ベースプレートの作用を説明する図である。
【図１０】タンクバッグ装置の変更例を説明する図である。
【図１１】タンクバッグ装置のさらなる変更例を説明する分解斜視図である。
【図１２】タンクバッグ装置のさらなる変更例を説明する分解斜視図である。
【発明を実施するための形態】
【００３２】
本発明の実施の形態を添付図に基づいて以下に説明する。
【実施例】
【００３３】
図１に示すように、鞍乗型車両１０は、操舵部材１１の後方で且つ乗員が座るシート１２の前方に燃料タンク１３が配置されている車両である。操舵部材１１、シート１２及び燃料タンク１３は、車体フレーム１４で支持される。
【００３４】
燃料タンク１３には、燃料タンク１３の上面に設けられている燃料キャップ１５を覆うようにしてタンクバッグ装置２０が取付けられている。
タンクバッグ装置２０は、燃料タンク１３にヒンジ２１を介して上下動可能に取付けられるベースプレート３０と、このベースプレート３０に取付けられるバッグ６０とを備えている。
【００３５】
ベースプレート３０からバッグ６０を取り外すと、図２に示す形態になる。この形態でも、鞍乗型車両は、走行に供される。ベースプレート３０に開口部３１が設けられているため、ベースプレート３０を起立させることなく、燃料キャップ１５を開け、給油を行うことができる。
【００３６】
ベースプレート３０はヒンジ２１を含め、燃料タンク１３と同色であることが推奨される。同色であれば外観性が良好に維持される。しかし、いわゆるツートーンカラー仕様となるように、ベースプレート３０の色を燃料タンク１３の色と替えることは差し支えない。
【００３７】
図３に示すように、ベースプレート３０は、全体的に燃料タンク１３の上面に沿った形状とされる。
そして、燃料タンク１３に軸受部材２２が設けられる。一方、ベースプレート３０の後端に延長部３２が設けられている。ヒンジピン３３で延長部３２を軸受部材２２に連結する。軸受部材２２と延長部３２とヒンジピン３３とでヒンジ２１が構成される。すなわち、ベースプレート３０はヒンジ２１を介して燃料タンク１３に上下動可能に取付けられている。
【００３８】
図４に示すように、ベースプレート３０は、板状部３４と、この板状部３４の縁から下がっている側壁部３５とを有する。ベースプレート３０は、金属のプレス成形品が好ましいが、樹脂成形品であってもよい。金属はアルミニウム合金、マグネシウム合金、チタン合金などの軽量金属がより好ましい。
【００３９】
板状部３４の裏面（内面、下面）に、パッド３７、３７が設けられている。パッド３７は、板状部３４に固定されるソケット３８と、このソケット３８にねじ込まれる弾性体３９とからなる。
弾性体３９はゴム又は軟質樹脂が好適である。ソケット３８に対して弾性体３９を回転させることで、弾性体３９の先端を側壁部３５より突出させると共に突出量を調節することができる。
すなわち、弾性体３９を燃料タンクに当接することで、側壁部３５を燃料タンクに当てないようにすることができる。弾性体３９は、ベースプレート３０の内側にあるため、外からは見えない。
【００４０】
また、好ましくは、ベースプレート３０の先端に可動爪４０を設ける。
図５に示すように、ベースプレート３０にピン４１を介して可動爪４０を回転可能に取付ける。一方、燃料タンク１３の上面前部に爪受け部２３が設けられている。この爪受け部２３に可動爪４０の先端爪部４２が係合する。先端爪部４２が爪受け部２３に向かうように可動爪４０を付勢するトーションばね４３が付属される。
乗員の手で、指掛け部４４が引き上げられると、爪受け部２３から先端爪部４２が外れ、ベースプレート３０を上げることができる。
【００４１】
図６に示すように、ベースプレート３０には、ベルト６５を通すことができるベルト穴４６が複数個設けられると共に、通したベルト６５を止めるベルト係止部４７、４８が複数個設けられている。
また、開口部３１を囲うように板状部３４の裏面に第１マグネット５１、５１が設けられ、側壁部３５の内面に第２マグネット５２、５２が設けられている。第１・第２マグネット５１、５２は鉄板（鋼板）のような磁性体であってもよい。
【００４２】
ベースプレート３０の剛性を検討すると、板状部３４だけでは断面係数や断面二次モーメントが小さいため、剛性が大きくない。しかし、本発明のように板状部３４に直交する側壁部３５、３５を板状部３４に一致形成する曲げ剛性及び撓み剛性が格段に高まる。結果、ベースプレート３０の剛性を確保しつつ、ベースプレート３０の薄肉・軽量化が可能となる。
【００４３】
市販されているタンクバッグは、その多くが、図７に示されるように、物品を収納するバッグ６０と、このバッグ６０の下縁から延びる舌状部材６２と、この舌状部材６２に内蔵する永久磁石６３とからなる。舌状部材６２は左右に個々に設けられるが、作図の都合で、左側は省略した。図から明らかなように、舌状部材６２は外からは殆ど見えない。
【００４４】
左右の舌状部材６２をベースプレート３０に巻き付ける。すなわち、図６に示す側壁部３５、３５を超えて永久磁石（図７、符号６３）を磁性体又は第１マグネット５１、５１に吸着させる。
よって、本発明によれば、市販されるタンクバッグに手を加えることなく、使用することができる。
【００４５】
また、燃料タンク１３が鉄鋼製タンクである場合は、燃料タンク１３に第２マグネット５２が磁気吸着する。結果、ベースプレート３０の上下動が抑制される。
よって、この場合は、図５で説明した爪受け部２３及び可動爪４０を省くことができる。
【００４６】
図７では、ベースプレート３０にバッグ６０を連結する連結部材６１は、舌状部材６２と永久磁石６３からなるが、連結部材６１はベルト６５に変更することができる。
図８に示すように、想像線で示すバッグ６０は、ベルト６５を備えている。このベルト６５は、図６に示すように、ベルト穴４６を通ってベルト係止部４７又は４８に係止される。図８から明らかなように、ベルト６５は外からは殆ど見えない。
【００４７】
図９（ａ）に示すように、バッグ６０がベースプレート３０を介して燃料タンク１３に取付けられる。この状態で走行することができる。
給油に際しては、図９（ｂ）に示すように、ヒンジ２１を中心にしてベースプレート３０を回す。すると、バッグ６０がベースプレート３０と共に立ち姿勢になり、結果、燃料キャップ１５が露出される。この状態で給油を実施する。
【００４８】
給油後に、図９（ａ）に戻す。このとき、ヒンジ２１の作用でベースプレート３０が正確に元の位置に戻る。従来のタンクバッグでは復帰後に永久磁石の位置を修正するなど調整作業が不可欠であったが、本発明によれば、調整作業は不要である。
【００４９】
図９では、ヒンジ２１がベースプレート３０の後端に設けられているが、ヒンジ２１は、図１０に示すように、ベースプレート３０の前端に設けてもよい。
すなわち、ヒンジ２１はベースプレート３０のどの部位に設けてもよく、燃料タンク１３の形状や操舵部材１１や操舵部材１１回りに配置されるメータ類との相関を考慮して部位を決定すればよい。
【００５０】
図２に示す軸受部２２及び図５に示す爪受け部２３は、燃料タンク１３に接着法、溶接法、ビス止め法、その他の接合法で後付けすることは差し支えない。しかし、鋼製の燃料タンク１３にあってはプレス時に一体形成することが望まれ、樹脂製の燃料タンク１３にあっては樹脂成形時に一体形成することが望まれる。燃料タンク１３が、やや特殊な形態となるため、通常の燃料タンク１３をそのまま使用することができる次の構造も推奨される。
【００５１】
図１１に示すように、燃料タンク１３とベースプレート３０との間に、タンクカバー７０を介在させる。タンクカバー７０は、軟質樹脂製又は革製のカバー本体７１と、このカバー本体７１から延びる締結ベルト７２、７２とからなり、飛び石から燃料タンク１３を護ることを主たる目的とする。外観部材であるため、外観性は良好である。
【００５２】
本実施例では、タンクカバー７０に、軸受部２２と爪受け部２３を一体的に設けた。
軸受部２２に延長部３２、３２を合わせ、ヒンジピン３３を挿入する。このヒンジピン３３の先端に、例えば割ピン７３をセットすることで、ヒンジピン３３の抜け止めを図る。割ピン７３は、ナット、クリッパーであってもよい。
次に、タンクカバー７０を燃料タンク１３に被せ、締結ベルト７２、７２で固定する。
これで、図２と同様の形態が得られ、走行に供することができる。
【００５３】
必要時に、図７又は図８に基づいて、ベースプレート３０にバッグ６０を取付ければよい。
タンクカバー７０は、燃料タンク１３の上半部を概ね覆う袋状のカバーが好適であるが、袋の他、箱状、板状のカバーでもよく、形状は任意である。
【００５４】
なお、締結ベルト７２、７２を、巾着紐に代えることができる。巾着は袋であり、巾着紐は巾着の口を絞る紐である。巾着紐であれば、締結ベルト７２、７２より目立ちにくい。よって、より外観性を高めることができる。
【００５５】
市販のタンクバッグを使用する他、ベースプレート３０に合致したバッグ６０の採用も推奨される。その好適な一例を次に説明する。
図１２に示すように、バッグ６０の底に、連結部材６１としての永久磁石６３、６３を内蔵する、又は付設する。ベースプレート３０に裏面（下面）に第１マグネット（又は磁性体）５１、５１が設けられているため、バッグ６０をベースプレート３０に載せると、永久磁石６３、６３が第１マグネット（又は磁性体）５１、５１に吸着され、ベースプレート３０にバッグ６０を固定することができる。この例によれば、図７に示した舌状部材６２や図８に示したベルト６５が不要となり、外観性が一層高まる。
【００５６】
図１２に示すように、燃料タンク１３にパッド３７、３７が当接しており、ベースプレート３０自体は燃料タンク１３に当たっていない。よって、燃料タンク１３の塗装がベースプレート３０で剥離される心配はない。
【００５７】
また、図１２において、バッグ６１をベースプレート３０に、締結部材（ボルトやビス）で連結してもよい。具体的には、磁性体又は第１マグネット５１に雌ねじ部を形成し、バッグ６１内から締結部材を雌ねじ部へねじ込むことが推奨される。締結部材はベースプレート３０側からバッグ６１へねじ込むこともできる。磁性体又は第１マグネット５１は、安価なナット、好ましくは袋ナットに変更してもよい。
【００５８】
尚、本発明のタンクバッグ装置は、自動二輪車の他、前輪が１個で後輪が２個で燃料タンクが露出している三輪バギー車や、前輪が２個で後輪が２個で燃料タンクが露出している四輪バギー車にも適用できる。その中で、荷物収納部が最も確保しにくい自動二輪車に好適である。
【００５９】
また、図１において、ベースプレート３０は、ヒンジ２１を中心に立てることができ、この状態で給油を行うことができる。よって、ベースプレート３０から開口部３１を省くことができる。開口部３１を省くことで、ベースプレート３０の外観性が高まる。よって、ベースプレート３０に開口部３１を設けるか否かは任意である。
【産業上の利用可能性】
【００６０】
本発明タンクバッグ装置は、自動二輪車に好適である。
【符号の説明】
【００６１】
１０…鞍乗型車両、１１…操舵部材、１２…シート、１３…燃料タンク、１５…燃料キャップ、２０…タンクバッグ装置、２１…ヒンジ、２２…軸受部、２３…爪受け部、３０…ベースプレート、３１…開口部、３２…延長部、３３…ヒンジピン、３４…板状部材、３５…側壁部、４０…可動爪、４２…先端爪部、４６…ベルト穴、４７、４８…ベルト係止部、５１、５２…磁性体又はマグネット、６０…バッグ、６１…連結部材、６２…舌状部材、６３…永久磁石、６５…ベルト、７０…タンクカバー。
【図１】
2015112984.tif 000003
【図２】
2015112984.tif 000004
【図３】
2015112984.tif 000005
【図４】
2015112984.tif 000006
【図５】
2015112984.tif 000007
【図６】
2015112984.tif 000008
【図７】
2015112984.tif 000009
【図８】
2015112984.tif 000010
【図９】
2015112984.tif 000011
【図１０】
2015112984.tif 000012
【図１１】
2015112984.tif 000013
【図１２】
2015112984.tif 000014